(57)【特許請求の範囲】
【請求項１】
ウェブコンテンツのユーザが閲覧した領域の概観を示すサムネイル画像と、前記閲覧した領域のうちユーザの注目度が高い一部領域を縮小せずに切り出したトリミング画像とを生成するコンテンツ画像生成部と、
前記サムネイル画像及び前記トリミング画像を含む閲覧履歴画面を生成する閲覧履歴画面生成部と、
前記サムネイル画像及び前記トリミング画像を指定する閲覧操作にもとづき該指定された画像に対応する前記ウェブコンテンツを表示するコンテンツ閲覧操作制御部と、
を備えていることを特徴とするウェブコンテンツ閲覧情報表示装置。
【請求項２】
前記コンテンツ画像生成部は、前記ウェブコンテンツのレイアウト構成を解析し、前記ウェブコンテンツを複数個のブロックに分割し、各ブロックの境界に従い前記サムネイル画像および前記トリミング画像を切り出す領域を修正することを特徴とする請求項１に記載のウェブコンテンツ閲覧情報表示装置。
【請求項３】
前記閲覧履歴画面生成部は、同一のグループに属する前記ウェブコンテンツのタイトルに共通する部分を省略した省略タイトルを生成し、前記省略タイトルを前記閲覧履歴画面に配置することを特徴とする請求項１あるいは請求項２に記載のウェブコンテンツ閲覧情報表示装置。
【請求項４】
前記閲覧履歴画面生成部は、前記閲覧操作に対応する前記ウェブコンテンツを過去の閲覧経路に従い、閲覧経路にある前記ウェブコンテンツを示す前記タイトルあるいは前記アイコン画像あるいは前記サムネイル画像あるいは前記トリミング画像を前記閲覧履歴画面に配置することを特徴とする請求項１ないし請求項３のいずれかひとつに記載のウェブコンテンツ閲覧情報表示装置。
【請求項５】
前記閲覧履歴画面生成部は、ブックマークに登録されたウェブコンテンツのタイトルまたはサムネイル画像を前記閲覧履歴画面に配置し、これらのうち選択されたものに対応するウェブコンテンツが過去に閲覧されている場合は、当該ウェブコンテンツと同一の前記グループに属する前記ウェブコンテンツの前記タイトルあるいは前記サムネイル画像あるいは前記トリミング画像を前記閲覧履歴画面に配置することを特徴とする請求項１ないし請求項４のいずれかひとつに記載のウェブコンテンツ閲覧情報表示装置。
【請求項６】
前記コンテンツ画像生成部は、前記ウェブコンテンツの変換コンテンツを複数のページに分割した分割ページの一覧を示すインデックスページから変換サムネイル画像と、変換トリミング画像と、前記インデックスページと前記分割ページの対応関係に従ってインデックスページ内の各分割ページに対応する領域を含む部分を切り出したブロック画像とを生成し、
前記コンテンツ閲覧操作制御部は、前記閲覧履歴画面に前記変換サムネイル画像及び前記変換トリミング画像及びこのトリミング画像が変換されたウェブコンテンツから生成された画像であることを示す情報とを前記サムネイル画像及び前記トリミング画像の代わりに配置し、前記閲覧操作に対応する変換サムネイル画像とその変換サムネイル画像に対応する前記ブロック画像を配置したブロック選択画面を前記表示装置に表示し、
前記閲覧操作制御部は、前記ブロック選択画面で選択された前記ブロック画像に対応する前記分割ページを前記表示装置に表示することを特徴とする請求項１ないし請求項５のいずれかひとつに記載のウェブコンテンツ閲覧情報表示装置。
【請求項７】
前記コンテンツ画像生成部は、前記変換コンテンツをネットワークを介して外部の装置から取得することを特徴とする請求項６に記載のウェブコンテンツ閲覧情報表示装置。
【請求項８】
ウェブコンテンツ閲覧情報表示装置が自律的にウェブコンテンツの閲覧情報を表示するウェブコンテンツ閲覧情報表示方法において、
前記ウェブコンテンツ閲覧情報表示装置が、
ウェブコンテンツのユーザが閲覧した領域の概観を示すサムネイル画像と、前記閲覧した領域のうちユーザの注目度が高い一部領域を縮小せずに切り出したトリミング画像とを生成するコンテンツ画像生成工程と、
前記サムネイル画像及び前記トリミング画像を含む閲覧履歴画面を生成する閲覧履歴画面生成工程と、
前記サムネイル画像及び前記トリミング画像を指定する閲覧操作にもとづき該指定された画像に対応する前記ウェブコンテンツを表示するコンテンツ閲覧操作制御工程と、
を実行することを特徴とするウェブコンテンツ閲覧情報表示方法。
【請求項９】
前記コンテンツ画像生成工程では、前記ウェブコンテンツのレイアウト構成を解析し、前記ウェブコンテンツを複数個のブロックに分割し、各ブロックの境界に従い前記サムネイル画像および前記トリミング画像を切り出す領域を修正することを特徴とする請求項８に記載のウェブコンテンツ閲覧情報表示方法。
【請求項１０】
前記閲覧履歴画面生成工程では、同一のグループに属する前記ウェブコンテンツのタイトルに共通する部分を省略した省略タイトルを生成し、前記省略タイトルを前記閲覧履歴画面に配置することを特徴とする請求項８あるいは請求項９に記載のウェブコンテンツ閲覧情報表示方法。
【請求項１１】
前記閲覧履歴画面生成工程では、前記閲覧操作に対応する前記ウェブコンテンツを過去の閲覧経路に従い、閲覧経路にある前記ウェブコンテンツを示す前記タイトルあるいは前記アイコン画像あるいは前記サムネイル画像あるいは前記トリミング画像を前記閲覧履歴画面に配置することを特徴とする請求項８ないし請求項１０のいずれかひとつに記載のウェブコンテンツ閲覧情報表示方法。
【請求項１２】
前記閲覧履歴画面生成工程では、ブックマークに登録されたウェブコンテンツのタイトルまたはサムネイル画像を前記閲覧履歴画面に配置し、これらのうち選択されたものに対応するウェブコンテンツが過去に閲覧されている場合は、当該ウェブコンテンツと同一の前記グループに属する前記ウェブコンテンツの前記タイトルあるいは前記サムネイル画像あるいは前記トリミング画像を前記閲覧履歴画面に配置することを特徴とする請求項８ないし請求項１１のいずれかひとつに記載のウェブコンテンツ閲覧情報表示方法。
【請求項１３】
前記コンテンツ画像生成工程では、前記ウェブコンテンツの変換コンテンツを複数のページに分割した分割ページの一覧を示すインデックスページから変換サムネイル画像と、変換トリミング画像と、前記インデックスページと前記分割ページの対応関係に従ってインデックスページ内の各分割ページに対応する領域を含む部分を切り出したブロック画像とを生成し、
前記コンテンツ閲覧操作制御工程では、前記閲覧履歴画面に前記変換サムネイル画像及び前記変換トリミング画像及びこのトリミング画像が変換されたウェブコンテンツから生成された画像であることを示す情報とを前記サムネイル画像及び前記トリミング画像の代わりに配置し、前記閲覧操作に対応する変換サムネイル画像とその変換サムネイル画像に対応する前記ブロック画像を配置したブロック選択画面を前記表示装置に表示し、
前記閲覧操作制御工程では、前記ブロック選択画面で選択された前記ブロック画像に対応する前記分割ページを前記表示装置に表示することを特徴とする請求項８ないし請求項１２のいずれかひとつに記載のウェブコンテンツ閲覧情報表示方法。
【請求項１４】
前記コンテンツ画像生成工程では、前記変換コンテンツをネットワークを介して外部の装置から取得することを特徴とする請求項１３に記載のウェブコンテンツ閲覧情報表示方法。
【請求項１５】
コンピュータに、処理を実行させるウェブコンテンツ閲覧情報表示プログラムにおいて、
前記コンピュータに、
ウェブコンテンツのユーザが閲覧した領域の概観を示すサムネイル画像と、前記閲覧した領域のうちユーザの注目度が高い一部領域を縮小せずに切り出したトリミング画像とを生成するコンテンツ画像生成処理と、
前記サムネイル画像及び前記トリミング画像を含む閲覧履歴画面を生成する閲覧履歴画面生成処理と、
前記サムネイル画像及び前記トリミング画像を指定する閲覧操作にもとづき該指定された画像に対応する前記ウェブコンテンツを表示するコンテンツ閲覧操作制御処理と、
を実行させることを特徴とするウェブコンテンツ閲覧情報表示プログラム。
【請求項１６】
前記コンテンツ画像生成処理では、前記ウェブコンテンツのレイアウト構成を解析し、前記ウェブコンテンツを複数個のブロックに分割し、各ブロックの境界に従い前記サムネイル画像および前記トリミング画像を切り出す領域を修正することを特徴とする請求項１５に記載のウェブコンテンツ閲覧情報表示プログラム。
【請求項１７】
前記閲覧履歴画面生成処理では、同一のグループに属する前記ウェブコンテンツのタイトルに共通する部分を省略した省略タイトルを生成し、前記省略タイトルを前記閲覧履歴画面に配置することを特徴とする請求項１５あるいは請求項１６に記載のウェブコンテンツ閲覧情報表示プログラム。
【請求項１８】
前記閲覧履歴画面生成処理では、前記閲覧操作に対応する前記ウェブコンテンツを過去の閲覧経路に従い、閲覧経路にある前記ウェブコンテンツを示す前記タイトルあるいは前記アイコン画像あるいは前記サムネイル画像あるいは前記トリミング画像を前記閲覧履歴画面に配置することを特徴とする請求項１５ないし請求項１７のいずれかひとつに記載のウェブコンテンツ閲覧情報表示プログラム。
【請求項１９】
前記閲覧履歴画面生成処理では、ブックマークに登録されたウェブコンテンツのタイトルまたはサムネイル画像を前記閲覧履歴画面に配置し、これらのうち選択されたものに対応するウェブコンテンツが過去に閲覧されている場合は、当該ウェブコンテンツと同一の前記グループに属する前記ウェブコンテンツの前記タイトルあるいは前記サムネイル画像あるいは前記トリミング画像を前記閲覧履歴画面に配置することを特徴とする請求項１５ないし請求項１８のいずれかひとつに記載のウェブコンテンツ閲覧情報表示プログラム。
【請求項２０】
前記コンテンツ画像生成処理では、前記ウェブコンテンツの変換コンテンツを複数のページに分割した分割ページの一覧を示すインデックスページから変換サムネイル画像と、変換トリミング画像と、前記インデックスページと前記分割ページの対応関係に従ってインデックスページ内の各分割ページに対応する領域を含む部分を切り出したブロック画像とを生成し、
前記コンテンツ閲覧操作制御処理では、前記閲覧履歴画面に前記変換サムネイル画像及び前記変換トリミング画像及びこのトリミング画像が変換されたウェブコンテンツから生成された画像であることを示す情報とを前記サムネイル画像及び前記トリミング画像の代わりに配置し、前記閲覧操作に対応する変換サムネイル画像とその変換サムネイル画像に対応する前記ブロック画像を配置したブロック選択画面を前記表示装置に表示し、
前記閲覧操作制御処理では、前記ブロック選択画面で選択された前記ブロック画像に対応する前記分割ページを前記表示装置に表示することを特徴とする請求項１５ないし請求項１９のいずれかひとつに記載のウェブコンテンツ閲覧情報表示プログラム。
【請求項２１】
前記コンテンツ画像生成処理では、前記変換コンテンツをネットワークを介して外部の装置から取得することを特徴とする請求項２０に記載のウェブコンテンツ閲覧情報表示プログラム。
【発明の詳細な説明】
【技術分野】
【０００１】
本発明は、Webコンテンツの閲覧技術に関し、特に、携帯電話やTV・リモコン環境におけるWebコンテンツ閲覧方法等に関する。
【背景技術】
【０００２】
マウス等のポインティングデバイスおよびキーボード等の文字入力手段を入力機器として備えるパーソナルコンピュータ（以下、「ＰＣ」と書く）環境下でのＷＷＷ（World  Wide  Web）を通じて提供されるコンテンツ（以下、「Webコンテンツ」と書く）の閲覧は、最早、一般的なものとなっている。【０００３】
例えば、第１の従来技術として、マイクロソフト社のインターネットエクスプローラー
（以下「IE」と書く）等の従来のPC向けのWebブラウザにおいては、ユーザが以前に閲覧したWebコンテンツを履歴として参照、再度アクセスする機能を備えている。IEでは履歴情報として、WebコンテンツタイトルやURL情報を提示し、同じドメインのURL(Uniform  Resource  Locator)や閲覧日時、回数、順序等に従った表示（グルーピング・ソート）方法の切替を許すことで、可能な限り見つけ易い方法を提供している。【０００４】
また、第２の従来技術として、特許文献１に記載の文書表示装置においては、URLやWebコンテンツタイトルのみのブックマーク情報に、ユーザが登録した画像情報を付与し、表現力を向上している。【０００５】
また、第３の従来技術として、非特許文献１に記載の履歴検索機構においては、アクセス回数や選択文字列反転回数、長時間の入力有無（離席確認）などのユーザ動作を元に算出したユーザのデータへの注目度や関連度に従い、検索結果をソート表示している。【０００６】
また、第4の従来技術として、Opera社のExtensible  Rendering  Architecture(ERA)や特許文献3に記載のブラウザシステムおよびその制御方法においては、本来PC環境下での閲覧のために作成されたWebコンテンツを、携帯電話やTV・リモコン環境で参照できるように元のWebコンテンツで使用されている画像サイズの調整やタグの変更・削除、複数のWebページへの分割、インデックスページ作成等のWeb整形・変換処理を行った上で、クライアント端末に表示している。【０００７】
【特許文献１】特開２００２−２５１３３８号公報
【特許文献２】特開２００２−２５１３３８号公報
【非特許文献１】ユーザの動作履歴を基にしたデータ間関連度とデータ着目度算出機構の構築、慶應義塾大学環境情報学部、情報処理学会第９９回システムソフトウェアとオペレーティング・システム研究会
【発明の開示】
【発明が解決しようとする課題】
【０００８】
昨今では、テレビジョン番組の視聴（以下、「ＴＶ視聴」と書く）と同等の環境下でのWebコンテンツ閲覧手段を提供することで、Webコンテンツの閲覧をより広い層に普及することや、TV視聴と連携した新たなWebサービスの創出を狙う動きも見られるようになってきた。【０００９】
しかし、テレビジョン受像機とそれを操作するリモコンを用いた環境（以下、「TV・リモコン環境」と書く）下においては、従来のPCを用いたWeb閲覧と比べ、ディスプレイの解像度は低く、視聴距離が長くなる傾向が大きいため、問題なく閲覧可能とするためには文字サイズ等をある程度以上の大きさに保つ必要があり、結果、ディスプレイに一度に表示できる情報量は少なくなる。
また、マウスやキーボード等の入力機器と比べると、リモコンによる操作では細やかなポインティング操作は困難となり、文字の入力効率は低下する。
このため、PCを用いた一般的なWeb閲覧方法をそのままTV・リモコン環境下でのWeb閲覧に導入しようとすると、主に効率や分かり易さの観点からさまざまな問題が発生する。【００１０】
第１の問題点は、ユーザが閲覧履歴を辿り過去に参照したWebコンテンツを再度閲覧したいと考えた場合に、Webコンテンツに付随する情報がURLやWebコンテンツタイトルといったテキスト情報のみであり、望むWebコンテンツを選別することが困難であるということである。
その理由は、URLやタイトルといったテキスト情報のみでは、ユーザが望むWebコンテンツを選別するには表現力に欠けるためである。特に、同サイト内を閲覧した場合にはタイトルやURLの前半部分が同様の内容が一覧表示されることとなり、判別はより困難になってしまうためである。更に、携帯電話やTV視聴の環境においては、URLやタイトルといったテキスト情報を一覧表示するだけでも大きな表示領域を占有することとなり、PC向けのブラウザでみられるような、画面左に閲覧履歴を表示し、選択したWebコンテンツを右画面に表示するといった２画面構成をとることが困難となり、適当にWebコンテンツを選択して実際のWebコンテンツを確認するといった操作を効率良く実現できないことも理由となる。【００１１】
第２の問題点は、アイコン画像や写真等をWebコンテンツに紐付けることで表現力の向上を図る場合に、閲覧時にユーザによる登録の手間が発生するということである。
更に、閲覧したWebコンテンツ全体を縮小したサムネイル画像を提示する場合、Webコンテンツ全体の構成や雰囲気は判別可能となるが、同サイトのWebコンテンツなど、同じデザインの似たWebコンテンツを見分けることは困難である。更にサムネイル画像については、最近増加している掲示板やブログといった縦に非常に長い構成となり得るWebコンテンツにおいては、テキストのみでなくコンテンツ全体の雰囲気を判別するという本来の目的についても機能しなくなるという問題もある。
その理由は、閲覧時に自動的にWebコンテンツに紐付ける画像情報を取得する機構を備えていないためである。また、Webコンテンツに紐付ける画像情報としてWebコンテンツ全体像のサムネイル画像を取得する機構を備えていた場合にも、サムネイル画像のみの表示では、テキストが縮小され判読不可能となり、詳細な内容を把握することができないためである。【００１２】
第３の問題点は、ダイレクトポインティングの手段を備えていないリモコンや携帯端末においては、一覧表示された履歴を辿っていく操作は効率が悪くなるということである。また、閲覧日時やタイトル名、ドメイン等のWebコンテンツに付随する情報を用いて、ソートやグルーピング処理を行うことで、多少の効率向上は望めるが、反って操作が複雑化する恐れもある。
その理由は、リモコンや携帯端末においては上下左右方向へのカーソル移動と決定、キャンセルといった基本的な操作のためのボタンのみを備えていることが一般的であり、カーソル移動を効率良く行うためのボタンを別途設けることが常に可能とは限らないためである。また、ソートやグルーピング機能を提供した場合、ソート順切替やグループの選択、階層移動といった操作が別途必要となるためである。【００１３】
第４の問題点は、ブックマーク登録しているコンテンツを起点に、過去に参照したコンテンツに辿りつくことが困難な場合があることである。
その理由は、ユーザは通常、掲示板やブログ等においてはトップページをブックマークで登録しており、個々の記事を記載しているコンテンツを全てブックマーク登録するユーザは稀であり、後日、何らかの記事を再度見たいとユーザが考えた場合に記事の内容についてはある程度覚えていても、その記事をどこで見たか、どのように辿り付いたかといった記憶が曖昧になっている可能性があるためである。【００１４】
第5の問題点は、Webコンテンツを変換して携帯電話やＴＶ・リモコン環境で参照する場合に、変換（分割）された個々のWebコンテンツ内容を判別することが困難なことにある。また、閲覧履歴から過去に参照した変換されたWebコンテンツを再度参照したい場合に、再度元のWebコンテンツにアクセスする手間が発生することである。
その理由は、変換（分割）された個々のWebコンテンツは、元のWebコンテンツに比べ画像が小さく、また少なくなり、テキスト情報の画面内での比率が高くなることが多いため、その外観からコンテンツ内容を判別することが困難になるためである。また、一般的なWebコンテンツ変換では、分割された個々のWebコンテンツについての閲覧履歴を扱うことは考慮されておらず、閲覧履歴からユーザが目的の情報（元のWebコンテンツを構成する、分割された単一のWebコンテンツ）を指定する手段を備えていないためである。【００１５】
第6の問題点は、Webコンテンツの変換処理をサーバで行う形態を採った場合、ユーザにとって不要な待ち時間や通信料が発生する可能性があることである。
その理由は、Webコンテンツにアクセスした際に、ユーザにとって不要な情報（元のWebコンテンツに含まれるが、ユーザは参照しない情報）も含めた通信処理が必要となるためである。【００１６】
本発明の目的は、携帯端末やTV・リモコンといったディスプレイに表示できる情報量および入力手段の機能がＰＣに比べて貧弱な環境下において、ユーザが閲覧履歴から自身の望むWebコンテンツを容易に選別できる方法等を提供することにある。
【課題を解決するための手段】
【００１７】
本発明の、ウェブコンテンツ閲覧情報表示装置は、過去の表示形態に基づいて少なくとも１つのウェブコンテンツの各々から所定の規則で一部を切り出してサムネイル画像を生成し、ウェブコンテンツのうち過去に表示された部分から少なくとも１つのトリミング画像を生成するコンテンツ画像生成部と、ウェブコンテンツの各々に対応するサムネイル画像及びトリミング画像を配置した閲覧履歴画面を表示装置に表示する閲覧履歴画面生成部と、表示されたサムネイル画像及びトリミング画像の各々１つを指示する閲覧操作情報に対応するウェブコンテンツを表示装置に表示するコンテンツ閲覧操作制御部とを備えている（請求項１ないし請求項５）。【００１８】
上記ウェブコンテンツ閲覧情報表示装置によれば、コンテンツ画像生成部がユーザのWebコンテンツ閲覧時の動作から、ユーザが実際に目にした部分だけを切り出して縮小したサムネイル画像と、ユーザが長時間閲覧していた部分、またリンクを押下した部分を切り出したトリミング画像とを生成、保存し、閲覧履歴画面生成部が後日閲覧履歴参照時にこれらを配置した閲覧履歴情報画面を提示する。
そのため、タイトルやURL、閲覧日時といった基本的な情報に加え、Webコンテンツにおいてユーザが実際に閲覧した領域全体の構成や雰囲気を把握可能とするサムネイル画像と、ユーザが特に意識的に閲覧していたと推測される一部の領域を、普段ユーザがWebコンテンツを閲覧するのと同じ環境（主にテキストのサイズ）で確認できるトリミング画像とを参照しながら、ユーザが望むWebコンテンツを選択することが可能となる。【００１９】
上記ウェブコンテンツ閲覧情報表示装置において、コンテンツ画像生成部は、ウェブコンテンツのレイアウト構成を解析し、ウェブコンテンツを複数個のブロックに分割し、各ブロックの境界に従いサムネイル画像およびトリミング画像を切り出す領域を修正するようにしてもよい（請求項２）。
このようにすれば、サムネイル画像およびトリミング画像を、ユーザにとってより内容を把握し易いものとすることが可能となる。【００２０】
上記ウェブコンテンツ閲覧情報表示装置において、閲覧履歴画面生成部は、同一のグループに属するウェブコンテンツのタイトルに共通する部分を省略した省略タイトルを生成し、省略タイトルを閲覧履歴画面に配置するようにしてもよい（請求項３）。【００２１】
このようにすれば、同コンテンツグループにおいて、タイトルの一部の文字列が共通の場合に、共通部分を省略して表示することで、特に表示領域の制限が厳しい環境下において、ブログや掲示板等の同サイト内の先頭部分が共通のタイトルとなるWebコンテンツを多数閲覧していた場合に、無駄な情報を排除して一覧性を向上することが可能となる。【００２２】
上記ウェブコンテンツ閲覧情報表示装置において、閲覧履歴画面生成部は、閲覧操作情報に対応するウェブコンテンツを過去の閲覧経路に従い、閲覧経路にあるウェブコンテンツを示すタイトルあるいはアイコン画像あるいはサムネイル画像あるいはトリミング画像を閲覧履歴画面に配置するようにしてもよい（請求項４）。【００２３】
このようにすれば、閲覧期間やURLドメインによって絞りこんだWebコンテンツを確認しながら、各Webコンテンツの閲覧経路を提示、選択可能とすることで、ユーザが当該Webコンテンツをどのような状況で閲覧するに至ったかを思い出す支援となると共に、最初のグループ選択（絞り込み）を間違えていた場合にもグループ選択まで戻ることなく、閲覧経路を辿って別のグループに属するWebコンテンツに移動することが可能となる。
特に、共通の内容を扱ったブログや掲示板、ニュースサイトの記事をリンクを辿りながら閲覧した場合には、その内容を扱った特定のWebコンテンツを探索する際に、正確なタイトルや閲覧期間、属するコンテンツグループ（サイト）を記憶していなくとも、関連記事を扱ったWebコンテンツを一つ発見できれば、そこから閲覧経路を辿って、望みのWebコンテンツに辿り付けることが期待できる。【００２４】
上記ウェブコンテンツ閲覧情報表示装置において、閲覧履歴画面生成部は、ブックマークに登録されたウェブコンテンツのタイトルまたはサムネイル画像を閲覧履歴画面に配置し、これらのうち選択されたものに対応するウェブコンテンツが過去に閲覧されている場合は、当該ウェブコンテンツと同一のグループに属するウェブコンテンツのタイトルあるいはサムネイル画像あるいはトリミング画像を閲覧履歴画面に配置するようにしてもよい（請求項５）。【００２５】
このようにすれば、ブックマーク登録されたWebコンテンツをサムネイル画像を確認しながら選択可能となり、加えて、選択中のWebコンテンツに関連する閲覧履歴を併せて提示、選択可能とすることで、直接閲覧履歴を選択して該当するWebコンテンツに移動することが可能となる。
その結果、ブックマーク登録されたWebコンテンツを選択し、そこから過去の記憶を思い起こしながら望むページを辿る手間が軽減される。【００２６】
上記ウェブコンテンツ閲覧情報表示装置において、コンテンツ画像生成部は、ウェブコンテンツの変換コンテンツを複数のページに分割した分割ページの一覧を示すインデックスページから変換サムネイル画像と、変換トリミング画像と、インデックスページと分割ページの対応関係に従ってインデックスページ内の各分割ページに対応する領域を含む部分を切り出したブロック画像とを生成し、コンテンツ閲覧操作制御部は、閲覧履歴画面に変換サムネイル画像及び変換トリミング画像及びこのトリミング画像が変換されたウェブコンテンツから生成された画像であることを示す情報とをサムネイル画像及びトリミング画像の代わりに配置し、閲覧操作情報に対応する変換サムネイル画像とその変換サムネイル画像に対応するブロック画像を配置したブロック選択画面を表示装置に表示し、閲覧操作制御部は、ブロック選択画面で選択されたブロック画像に対応する分割ページを表示装置に表示するようにしてもよい（請求項６）。【００２７】
このようにすれば、ユーザは、ページブロック選択画面で自身の望むWebコンテンツの中の一部の情報（分割ページ）を直接選択することにより、閲覧時にインデックスページを辿って分割ページを選択するという手間を排除できる。【００２８】
上記ウェブコンテンツ閲覧情報表示装置において、コンテンツ画像生成部は、変換コンテンツをネットワークを介して外部の装置から取得するようにしてもよい（請求項７）。【００２９】
このようにすれば、コンテンツ閲覧情報表示装置とコンテンツ変換を行う外部の装置との間の通信データ量が削減されるため、ユーザはより少ない待ち時間で自身の望む情報に到達することが可能となる。【００３０】
本発明のウェブコンテンツ閲覧情報表示方法は、過去の表示形態に基づいて少なくとも１つのウェブコンテンツの各々から所定の規則で一部を切り出してサムネイル画像を生成し、ウェブコンテンツのうち過去に表示された部分から少なくとも１つのトリミング画像を生成するコンテンツ画像生成工程と、ウェブコンテンツの各々に対応するサムネイル画像及びトリミング画像を配置した閲覧履歴画面を表示装置に表示する閲覧履歴画面生成工程と、表示されたサムネイル画像及びトリミング画像の各々１つを指示する閲覧操作情報に対応するウェブコンテンツを表示装置に表示するコンテンツ閲覧操作制御工程とを備えている（請求項８ないし請求項１４）。【００３１】
上記ウェブコンテンツ閲覧情報表示方法によれば、コンテンツ画像生成工程においてユーザのWebコンテンツ閲覧時の動作から、ユーザが実際に目にした部分だけを切り出して縮小したサムネイル画像と、ユーザが長時間閲覧していた部分、またリンクを押下した部分を切り出したトリミング画像とを生成、保存し、閲覧履歴画面生成工程において後日閲覧履歴参照時にこれらを配置した閲覧履歴情報画面提示する。
そのため、タイトルやURL、閲覧日時といった基本的な情報に加え、Webコンテンツにおいてユーザが実際に閲覧した領域全体の構成や雰囲気を把握可能とするサムネイル画像と、ユーザが特に意識的に閲覧していたと推測される一部の領域を、普段ユーザがWebコンテンツを閲覧するのと同じ環境（主にテキストのサイズ）で確認できるトリミング画像とを参照しながら、ユーザが望むWebコンテンツを選択することが可能となる。【００３２】
上記ウェブコンテンツ閲覧情報表示方法において、コンテンツ画像生成工程では、ウェブコンテンツのレイアウト構成を解析し、ウェブコンテンツを複数個のブロックに分割し、各ブロックの境界に従いサムネイル画像およびトリミング画像を切り出す領域を修正するようにしても良い（請求項９）。【００３３】
このようにすれば、サムネイル画像およびトリミング画像を、ユーザにとってより内容を把握し易いものとすることが可能となる。【００３４】
上記ウェブコンテンツ閲覧情報表示方法において、閲覧履歴画面生成工程では、同一のグループに属するウェブコンテンツのタイトルに共通する部分を省略した省略タイトルを生成し、省略タイトルを閲覧履歴画面に配置するようにしても良い（請求項１０）。【００３５】
このようにすれば、同コンテンツグループにおいて、タイトルの一部の文字列が共通の場合に、共通部分を省略して表示することで、特に表示領域の制限が厳しい環境下において、ブログや掲示板等の同サイト内の先頭部分が共通のタイトルとなるWebコンテンツを多数閲覧していた場合に、無駄な情報を排除して一覧性を向上することが可能となる。【００３６】
上記ウェブコンテンツ閲覧情報表示方法において、閲覧履歴画面生成工程では、閲覧操作情報に対応するウェブコンテンツを過去の閲覧経路に従い、閲覧経路にあるウェブコンテンツを示すタイトルあるいはアイコン画像あるいはサムネイル画像あるいはトリミング画像を閲覧履歴画面に配置するようにしても良い（請求項１１）。【００３７】
このようにすれば、閲覧期間やURLドメインによって絞りこんだWebコンテンツを確認しながら、各Webコンテンツの閲覧経路を提示、選択可能とすることで、ユーザが当該Webコンテンツをどのような状況で閲覧するに至ったかを思い出す支援となると共に、最初のグループ選択（絞り込み）を間違えていた場合にもグループ選択まで戻ることなく、閲覧経路を辿って別のグループに属するWebコンテンツに移動することが可能となる。
特に、共通の内容を扱ったブログや掲示板、ニュースサイトの記事をリンクを辿りながら閲覧した場合には、その内容を扱った特定のWebコンテンツを探索する際に、正確なタイトルや閲覧期間、属するコンテンツグループ（サイト）を記憶していなくとも、関連記事を扱ったWebコンテンツを一つ発見できれば、そこから閲覧経路を辿って、望みのWebコンテンツに辿り付けることが期待できる。【００３８】
上記ウェブコンテンツ閲覧情報表示方法において、閲覧履歴画面生成部は、ブックマークに登録されたウェブコンテンツのタイトルまたはサムネイル画像を閲覧履歴画面に配置し、これらのうち選択されたものに対応するウェブコンテンツが過去に閲覧されている場合は、当該ウェブコンテンツと同一のグループに属するウェブコンテンツのタイトルあるいはサムネイル画像あるいはトリミング画像を閲覧履歴画面に配置するようにしても良い（請求項１２）。【００３９】
このようにすれば、ブックマーク登録されたWebコンテンツをサムネイル画像を確認しながら選択可能となり、加えて、選択中のWebコンテンツに関連する閲覧履歴を併せて提示、選択可能とすることで、直接閲覧履歴を選択して該当するWebコンテンツに移動することが可能となる。
その結果、ブックマーク登録されたWebコンテンツを選択し、そこから過去の記憶を思い起こしながら望むページを辿る手間が軽減される。【００４０】
上記ウェブコンテンツ閲覧情報表示方法において、コンテンツ画像生成工程では、ウェブコンテンツの変換コンテンツを複数のページに分割した分割ページの一覧を示すインデックスページから変換サムネイル画像と、変換トリミング画像と、インデックスページと分割ページの対応関係に従ってインデックスページ内の各分割ページに対応する領域を含む部分を切り出したブロック画像とを生成し、コンテンツ閲覧操作制御工程では、閲覧履歴画面に変換サムネイル画像及び変換トリミング画像及びこのトリミング画像が変換されたウェブコンテンツから生成された画像であることを示す情報とをサムネイル画像及びトリミング画像の代わりに配置し、閲覧操作情報に対応する変換サムネイル画像とその変換サムネイル画像に対応するブロック画像を配置したブロック選択画面を表示装置に表示し、閲覧操作制御工程では、ブロック選択画面で選択されたブロック画像に対応する分割ページを表示装置に表示するようにしてもよい（請求項１３）。【００４１】
このようにすれば、ユーザは、ページブロック選択画面で自身の望むWebコンテンツの中の一部の情報（分割ページ）を直接選択することにより、閲覧時にインデックスページを辿って分割ページを選択するという手間を排除できる。【００４２】
上記ウェブコンテンツ閲覧情報表示方法において、コンテンツ画像生成工程では、変換コンテンツをネットワークを介して外部の装置から取得するようにしてもよい（請求項１４）。【００４３】
このようにすれば、コンテンツ閲覧情報表示装置とコンテンツ変換を行う外部の装置との間の通信データ量が削減されるため、ユーザはより少ない待ち時間で自身の望む情報に到達することが可能となる。【００４４】
本発明のウェブコンテンツ閲覧情報表示プログラムは、コンピュータに、外部から入力されるウェブコンテンツを表示装置に表示する処理を実行させるウェブコンテンツ閲覧情報表示プログラムにおいて、コンピュータに、過去の表示形態に基づいて少なくとも１つのウェブコンテンツの各々から所定の規則で一部を切り出してサムネイル画像を生成し、ウェブコンテンツのうち過去に表示された部分から少なくとも１つのトリミング画像を生成するコンテンツ画像生成処理と、ウェブコンテンツの各々に対応するサムネイル画像及びトリミング画像を配置した閲覧履歴画面を表示装置に表示する閲覧履歴画面生成処理と、表示されたサムネイル画像及びトリミング画像の各々１つを指示する閲覧操作情報に対応するウェブコンテンツを表示装置に表示するコンテンツ閲覧操作制御処理とを実行させるを実行させる（請求項１５ないし請求項２１）。【００４５】
上記ウェブコンテンツ閲覧情報表示プログラムによれば、コンテンツ画像生成機能によりユーザのWebコンテンツ閲覧時の動作から、ユーザが実際に目にした部分だけを切り出して縮小したサムネイル画像と、ユーザが長時間閲覧していた部分、またリンクを押下した部分を切り出したトリミング画像とを生成、保存し、閲覧履歴画面生成機能により後日閲覧履歴参照時にこれらを配置した閲覧履歴情報画面提示する。
そのため、タイトルやURL、閲覧日時といった基本的な情報に加え、Webコンテンツにおいてユーザが実際に閲覧した領域全体の構成や雰囲気を把握可能とするサムネイル画像と、ユーザが特に意識的に閲覧していたと推測される一部の領域を、普段ユーザがWebコンテンツを閲覧するのと同じ環境（主にテキストのサイズ）で確認できるトリミング画像とを参照しながら、ユーザが望むWebコンテンツを選択することが可能となる。【００４６】
上記ウェブコンテンツ閲覧情報表示プログラムにおいて、コンテンツ画像生成処理では、ウェブコンテンツのレイアウト構成を解析し、ウェブコンテンツを複数個のブロックに分割し、各ブロックの境界に従いサムネイル画像およびトリミング画像を切り出す領域を修正するようにしても良い（請求項１６）。
このようにすれば、サムネイル画像およびトリミング画像を、ユーザにとってより内容を把握し易いものとすることが可能となる。【００４７】
上記ウェブコンテンツ閲覧情報表示プログラムにおいて、閲覧履歴画面生成処理では、同一のグループに属するウェブコンテンツのタイトルに共通する部分を省略した省略タイトルを生成し、省略タイトルを閲覧履歴画面に配置するようにしても良い（請求項１７）。【００４８】
このようにすれば、同コンテンツグループにおいて、タイトルの一部の文字列が共通の場合に、共通部分を省略して表示することで、特に表示領域の制限が厳しい環境下において、ブログや掲示板等の同サイト内の先頭部分が共通のタイトルとなるWebコンテンツを多数閲覧していた場合に、無駄な情報を排除して一覧性を向上することが可能となる。【００４９】
上記ウェブコンテンツ閲覧情報表示プログラムにおいて、閲覧履歴画面生成処理では、閲覧操作情報に対応するウェブコンテンツを過去の閲覧経路に従い、閲覧経路にあるウェブコンテンツを示すタイトルあるいはアイコン画像あるいはサムネイル画像あるいはトリミング画像を閲覧履歴画面に配置するようにしても良い（請求項１８）。【００５０】
このようにすれば、閲覧期間やURLドメインによって絞りこんだWebコンテンツを確認しながら、各Webコンテンツの閲覧経路を提示、選択可能とすることで、ユーザが当該Webコンテンツをどのような状況で閲覧するに至ったかを思い出す支援となると共に、最初のグループ選択（絞り込み）を間違えていた場合にもグループ選択まで戻ることなく、閲覧経路を辿って別のグループに属するWebコンテンツに移動することが可能となる。
特に、共通の内容を扱ったブログや掲示板、ニュースサイトの記事をリンクを辿りながら閲覧した場合には、その内容を扱った特定のWebコンテンツを探索する際に、正確なタイトルや閲覧期間、属するコンテンツグループ（サイト）を記憶していなくとも、関連記事を扱ったWebコンテンツを一つ発見できれば、そこから閲覧経路を辿って、望みのWebコンテンツに辿り付けることが期待できる。【００５１】
上記ウェブコンテンツ閲覧情報表示プログラムにおいて、閲覧履歴画面生成処理では、ブックマークに登録されたウェブコンテンツのタイトルまたはサムネイル画像を閲覧履歴画面に配置し、これらのうち選択されたものに対応するウェブコンテンツが過去に閲覧されている場合は、当該ウェブコンテンツと同一のグループに属するウェブコンテンツのタイトルあるいはサムネイル画像あるいはトリミング画像を閲覧履歴画面に配置するようにしても良い（請求項１９）。【００５２】
このようにすれば、ブックマーク登録されたWebコンテンツをサムネイル画像を確認しながら選択可能となり、加えて、選択中のWebコンテンツに関連する閲覧履歴を併せて提示、選択可能とすることで、直接閲覧履歴を選択して該当するWebコンテンツに移動することが可能となる。
その結果、ブックマーク登録されたWebコンテンツを選択し、そこから過去の記憶を思い起こしながら望むページを辿る手間が軽減される。【００５３】
上記ウェブコンテンツ閲覧情報表示プログラムにおいて、コンテンツ画像生成処理では、ウェブコンテンツの変換コンテンツを複数のページに分割した分割ページの一覧を示すインデックスページから変換サムネイル画像と、変換トリミング画像と、インデックスページと分割ページの対応関係に従ってインデックスページ内の各分割ページに対応する領域を含む部分を切り出したブロック画像とを生成し、コンテンツ閲覧操作制御処理では、閲覧履歴画面に変換サムネイル画像及び変換トリミング画像及びこのトリミング画像が変換されたウェブコンテンツから生成された画像であることを示す情報とをサムネイル画像及びトリミング画像の代わりに配置し、閲覧操作情報に対応する変換サムネイル画像とその変換サムネイル画像に対応するブロック画像を配置したブロック選択画面を表示装置に表示し、閲覧操作制御処理では、ブロック選択画面で選択されたブロック画像に対応する分割ページを表示装置に表示するようにしてもよい（請求項２０）。【００５４】
このようにすれば、ユーザは、ページブロック選択画面で自身の望むWebコンテンツの中の一部の情報（分割ページ）を直接選択することにより、閲覧時にインデックスページを辿って分割ページを選択するという手間を排除できる。【００５５】
上記ウェブコンテンツ閲覧情報表示プログラムにおいて、コンテンツ画像生成処理では、変換コンテンツをネットワークを介して外部の装置から取得するようにしてもよい（請求項２１）。【００５６】
このようにすれば、コンテンツ閲覧情報表示装置とコンテンツ変換を行う外部の装置との間の通信データ量が削減されるため、ユーザはより少ない待ち時間で自身の望む情報に到達することが可能となる。
【発明の効果】
【００５７】
本発明によれば、ユーザのWebコンテンツ閲覧時の動作から、ユーザが実際に目にした部分だけを切り出して縮小したサムネイル画像と、ユーザが長時間閲覧していた部分、またリンクを押下した部分を切り出したトリミング画像とを生成、保存し、後日閲覧履歴参照時にこれらを配置した閲覧履歴情報画面提示する。
そのため、タイトルやURL、閲覧日時といった基本的な情報に加え、Webコンテンツにおいてユーザが実際に閲覧した領域全体の構成や雰囲気を把握可能とするサムネイル画像と、ユーザが特に意識的に閲覧していたと推測される一部の領域を、普段ユーザがWebコンテンツを閲覧するのと同じ環境（主にテキストのサイズ）で確認できるトリミング画像とを参照しながら、ユーザが望むWebコンテンツを選択することが可能となる。
【発明を実施するための最良の形態】
【００５８】
次に、本発明の実施の形態について図面を参照して詳細に説明する。
（１）実施の形態１
本発明の第１の実施形態であるWebコンテンツ閲覧情報表示装置２０について説明する。本実施例の最大の要点は、閲覧履歴画面生成部５および閲覧動作取得部６およびコンテンツ画像生成部７を備えることである。ユーザがWebコンテンツを閲覧している際に、閲覧動作取得部６がユーザのWebコンテンツ閲覧に関する動作情報を取得し、コンテンツ画像生成部７がユーザが閲覧しているWebページのサムネイル画像と、特にユーザが注目していたと類推される領域を抜き出したトリミング画像を生成し閲覧動作情報とあわせて、閲覧履歴情報記憶部８に保存する。後に、ユーザが閲覧履歴を参照する際に、閲覧履歴画面生成部５が閲覧履歴記憶部８が保持する閲覧動作情報を参照し、過去参照したコンテンツのサムネイル画像とトリミング画像を参照可能とする閲覧履歴画面を生成する。【００５９】
Webコンテンツ閲覧情報表示装置２０の構成図を図１に示す。
Webコンテンツ閲覧情報表示装置２０は、たとえばテレビジョン受像機であり、入力手段１と、出力手段２と、コンテンツ閲覧操作制御部３と、ネットワーク通信部４と、閲覧履歴画面生成部５と、閲覧動作取得部６と、コンテンツ画像生成部７と閲覧履歴情報記憶部８を備える。
コンテンツ閲覧操作制御部３は入力手段１によるユーザの操作を受信し、Webコンテンツ閲覧操作に関する情報をネットワーク通信部４と閲覧動作取得部６に、閲覧履歴参照操作に関する情報を閲覧履歴画面生成部５に、閲覧中のコンテンツのレンダリング情報をコンテンツ画像生成部７にそれぞれ出力する。更に、コンテンツ閲覧操作制御部３は、ネットワーク通信部４からWebコンテンツを受信し、コンテンツ閲覧画面を描画し、出力手段２に出力する。更に、コンテンツ閲覧操作制御部３は、閲覧履歴画面生成部５が生成した画面情報を受信し、閲覧履歴参照画面を描画し、出力手段２に出力する。【００６０】
閲覧動作取得部６は、コンテンツ閲覧操作制御部３からのコンテンツ閲覧操作に関する情報を受信し、タイトル、URL、閲覧開始日時、閲覧終了日時に加え、閲覧領域情報として規定時間（例えば１秒）毎の画面上に表示されている領域（座標）を、リンク情報としてユーザにより選択されたリンクやボタン（リンクオブジェクト）の位置とそのリンク先ＵＲＬ等を取得し、コンテンツ画像生成部７および閲覧履歴情報記憶部８に出力する。更に、閲覧動作取得部６は、閲覧履歴情報記憶部８が保持する閲覧履歴情報を参照し、現在閲覧中のWebコンテンツに関する閲覧履歴情報を探索し、当該Webコンテンツ閲覧履歴における閲覧領域情報を取得し、コンテンツ画像生成部７に出力する。【００６１】
コンテンツ画像生成部７は、コンテンツ閲覧操作制御部３からのレンダリング情報を受信し、コンテンツ全体の画像ファイルを作成、保持する。更に、コンテンツ画像生成部７は、閲覧動作取得部６からの閲覧領域情報およびリンク情報を受信し、コンテンツ全体の画像から閲覧領域に従い切り出す部分を決定し、切り出した矩形領域を縮小したサムネイル画像を生成し、履歴情報記憶部８に出力する。更に、コンテンツ画像生成部７は、閲覧領域情報およびリンク情報に従い、コンテンツ内における注目領域を決定し、コンテンツ全体画像から注目領域を含む部分を切り出したトリミング画像を生成し、閲覧履歴情報記憶部８に出力する。【００６２】
閲覧履歴情報記憶部８は、たとえば、ハードディスク装置により構成され、閲覧動作取得部６から受信するタイトルやURL、閲覧開始・終了日時情報と、コンテンツ画像生成部７から受信する同コンテンツに対するサムネイル画像およびトリミング画像を紐付け、あわせて保持する。【００６３】
閲覧履歴画面生成部５は、コンテンツ閲覧操作制御部３からの閲覧履歴参照操作に関する情報を受信し、閲覧履歴情報記憶部８が保持する閲覧履歴情報を参照し、URLのドメイン等に従いグルーピングした閲覧コンテンツを表すアイコン画像あるいは同サイト内の任意のコンテンツのサムネイル画像を水平あるいは鉛直方向に閲覧日時や頻度に従い配置し、同サイト内の各コンテンツを表すタイトル一覧あるいはサムネイル画像あるいはトリミング画像をもう一方の軸方向に配置することで、リモコンでの上下左右でのコンテンツ選択を可能とする閲覧履歴画面を生成し、コンテンツ閲覧操作制御部３に出力する。【００６４】
入力手段１は、たとえば赤外線により操作指示を入力するためのリモートコントローラであり、チャンネルを選択するための数字が表示されたボタンやカーソルを上下左右に移動させるための十字型のボタン等を備えているが、アルファベット等の文字を直接入力する機能は備えていない。【００６５】
出力手段２は、たとえば液晶ディスプレイ装置であり、Webコンテンツや受信したテレビ番組を画像として表示する。ただし、その解像度は、ＰＣ用のものよりは低く、多くの場合、ウェブコンテンツに含まれる文字をユーザが読み取れる大きさとすると、全体を一画面に表示することは出来ない。【００６６】
ネットワーク通信部４は、たとえばＨＴＴＰ(HyperText  Transfer  Protocol)により、インターネット３０を介して外部の装置、たとえばWebサーバからWebコンテンツを取得し、コンテンツ閲覧操作制御部３に出力する。【００６７】
尚、図１に示す構成図は、Web閲覧を行うユーザが保持するクライアント端末が全ての処理部を備える構成であるが、コンテンツ画像生成部７を外部サーバが保持し、コンテンツ提供側が自身の提供するWebコンテンツを効果的に把握できるサムネイル画像やトリミング画像を生成して、配信する構成としても構わない。【００６８】
次に、Webコンテンツ閲覧情報表示装置２０の動作例として、ユーザによるWebコンテンツ閲覧時に閲覧動作取得部６が取得する閲覧動作情報およびリンク情報、コンテンツ画像生成部７が生成するサムネイル・トリミング画像、閲覧履歴画面生成部５が生成する画面例を図示し、サムネイル画像およびコンテンツ画像生成の流れと、閲覧履歴画面について詳細に説明する。
図４に、ユーザが閲覧しているWebコンテンツの例を示す。
Webコンテンツ１０３０は、特にニュースサイトや掲示板、ブログページ等で見られる縦に長い構成となっている。Webコンテンツ１０３０をユーザが閲覧した場合、ディスプレイの表示領域（図４フレーム１０４０）には制限があり、Webコンテンツの内容を全て一度に表示することは不可能であるため、ユーザは入力手段１を用いて、表示領域を移動させることでWebコンテンツの内容を読み進めていくことになる。
本例では、ユーザは表示領域をWebコンテンツの中央辺り（フレーム１０４１）に移動させた後、しばらくしてから少しずつ下に移動してWebコンテンツの閲覧を進め、望みの記事が終了した時点（フレーム１０４２）で、再度上に移動させてリンク１０４３を押下して、別のWebコンテンツに移動したとする。【００６９】
閲覧動作取得部６は、規定時間毎にユーザのフレーム移動をトレースし、当該Webコンテンツの閲覧が終了した（別コンテンツへ移動した、あるいはWeb閲覧自体を終了した）際に、フレームの移動範囲から横幅Sxおよび縦幅Syを算出する。更に、閲覧動作取得部６はユーザが当該コンテンツを閲覧中に、フレームが最も長い時間滞在していた領域の左上の座標(Tx１,Ty１)を注目座標として、また別のWebコンテンツに移動する際に押下したリンクのある座標(Tx２,Ty２)をリンク座標として取得する。【００７０】
コンテンツ画像生成部７は、当該Webコンテンツ全体の画像ファイルを作成、保持した上で、表示領域幅Sx,Syに従って画像を切り出し、これを縮小したサムネイル画像１０５０（図５）を生成し、閲覧履歴情報記憶部８に保存する。
更に、コンテンツ画像生成部７は、注目座標(Tx１,Ty１)において、規定の横縦幅に従い画像を切り出し、トリミング画像を生成、フレームが滞在していた時間とあわせて閲覧履歴情報記憶部８に保存する。本例では比較的小さいサイズのトリミング画像１０５１と、大きいサイズのトリミング画像１０５２を生成し、あわせて保存している。
更に、コンテンツ画像生成部７は、リンク座標(Tx２,Ty２)において、規定の横縦幅に従い画像を切り出し、リンク画像１０５３を生成し、閲覧履歴情報記憶部８に保存する。【００７１】
尚、別のWebコンテンツに移動してからブラウザの「戻る」ボタン押下などにより、当該Webコンテンツに戻り、再度閲覧を行った場合は、前述の例と同様にユーザのフレーム移動をトレースし、フレーム移動範囲から横幅Sx'および縦幅Sy'を算出、それぞれ横幅Sxおよび縦幅Syと比較し、値の大きい方をとる。つまり、例えばSx'＜SxかつSy'＞Syであれば、表示領域幅はSx,Sy'に更新される。表示領域幅に更新がある場合は、再度サムネイル画像を生成し、上書きする。また、同様に注目座標やリンク座標を取得し、トリミング画像を生成、閲覧履歴情報記憶部８に保存する。トリミング画像については、完全に注目座標あるいはリンク座標が一致しないかぎりは、先に保存していたトリミング画像を削除することなく、複数枚を蓄積していくこととなる。【００７２】
次に図６に、ユーザが過去の閲覧履歴を参照する際に、閲覧履歴画面生成部５が生成する画面例を示す。閲覧履歴画面１０６０では、WebコンテンツをURLドメインにより同じサイト内のコンテンツと推測されるものをグルーピングし、その中でURLドメインの最も短い（トップページであると推測される）Webコンテンツや閲覧時間が最も長いWebコンテンツ等を、それぞれのコンテンツグループの代表コンテンツとし、夫々のサムネイル画像を横軸方向に配置する。
本例では、Webコンテンツの閲覧日時に従いコンテンツグループを日単位でまとめた上でタイトル順にサムネイル画像を横方向に配置している。画面１０６０では、画面中央のサムネイル画像１０６１を選択中の状態であり、選択中のサムネイル画像に関する情報としてタイトルやURL（矩形１０６２）を提示する。ユーザは、Webコンテンツの全体の構成や雰囲気を把握できるサムネイル画像を確認しながら、左右方向操作によりWebコンテンツのグループを切り替えることが可能となる。【００７３】
更に、選択中のWebコンテンツのグループにおいて過去に閲覧したWebコンテンツのトリミング画像として注目座標から生成した画像の中で最もフレーム滞在時間が長いトリミング画像１０６３が縦方向に配置される。Webコンテンツ（トリミング画像）の配置順は、コンテンツグループの絞り込み条件（たとえば「２００５年１１月３０日」を日付指定したとする）に従い、２００５年１１月３０日に閲覧したWebコンテンツを優先して閲覧時間順に並べた後に、２００５年１１月３０日以外の日に閲覧したWebコンテンツ（トリミング画像１０６４等）を閲覧時間順に並べ、上下方向操作による選択を可能とする。【００７４】
ユーザは、WebコンテンツのタイトルやURL、閲覧日時といった基本的な情報に加え、Webコンテンツの一部内容を把握できるトリミング画像を確認しながら、望みのWebコンテンツを探索することが可能となる。更に、ユーザが下方向にWebコンテンツ選択を進めていくと、最初の絞り込み条件に該当しないWebコンテンツも選択可能であり、最初の絞り込み条件を変更する手間をかけずに確認することが可能となる。
尚、本例ではWebコンテンツの最初の絞り込み条件を閲覧日指定としているが、閲覧月や年、タイトルの五十音順、アクセス回数などでも構わない。【００７５】
更に図７に、閲覧履歴画面生成部５が生成する別の画面例を示す。
画面１０７０において、画面１０６０と同様、各コンテンツグループの代表的なWebコンテンツのサムネイル画像を横方向に配置する。選択中のコンテンツグループに関する情報として、同コンテンツグループが含むWebコンテンツを一覧表示するリスト１０７１を表示し、上下方向操作でのWebコンテンツ選択を許す。Webコンテンツリスト１０７１には、コンテンツタイトルに加え、各コンテンツを過去に閲覧した総時間を相対比較したグラフ１０７２を提示している。Webコンテンツの配置順は、コンテンツグループのまとめ方（たとえば「２００５年１１月」を月指定したとする）に従い、２００５年１１月に閲覧したWebコンテンツを優先して閲覧時間順に並べた後に、２００５年１１月以外の日に閲覧したWebコンテンツを閲覧総時間が長い順に並べている。ユーザは、上下方向操作によりWebコンテンツ選択を行いながら、選択中のコンテンツ（矩形１０７３）に対応するトリミング画像１０７４を確認可能となる。【００７６】
更に図８に、閲覧履歴画面生成部５が生成する別の画面例を示す。
画面１０８０において、各コンテンツグループの代表的なWebコンテンツのサムネイル画像を縦方向に配置、上下方向操作によりコンテンツグループの選択を許す。各、サムネイル画像の横には代表WebコンテンツのタイトルやURL（矩形１０８６）に加え、同コンテンツグループが含むWebコンテンツを示すアイコン画像１０８２を横方向に配置し、左右方向操作による選択を許す。画面１０８０では、画面１０６０と同様、２００５年１１月３０日に閲覧したWebコンテンツを表すアイコン画像を優先して左側に配置し、その後に２００５年１１月３０日以外の日に閲覧したWebコンテンツ（アイコン画像１０８３）を配置する。現在、選択中のWebコンテンツ（フォーカス１０８４）に対応する詳細情報として、画面右側にタイトルやURL、閲覧日時に加え、大きめのサムネイル画像１０８５を確認可能となる。
ここで、アイコン画像は、Webコンテンツに含まれているもので、そのコンテンツの提供元を示す文字や図形を小サイズの画像データとしたものや、コンテンツグループが複数のコンテンツを含む旨を明示するだけの機能に特化して予め用意した単純な矩形や丸型等の画像データを示す。【００７７】
更に図９に、閲覧履歴画面生成部５が生成する別の画面例を示す。
画面１０９０において、各コンテンツグループの代表的なWebコンテンツのサムネイル画像を横方向に配置し、左右方向操作によりコンテンツグループの選択を許す。更に、選択中のコンテンツグループが含むWebコンテンツ、夫々のサムネイル画像（サムネイル画像１０９１等）を縦方向に配置し、上下方向操作でのWebコンテンツ選択を許す。更に、各Webコンテンツのサムネイル画像の右側に、Webコンテンツに紐付けられるトリミング画像１０９２を横方向に配置し、Webコンテンツを選択中の状態で、左右方向操作によるトリミング画像選択を許し、選択中のトリミング画像に対応する位置を、サムネイル画像中で強調表示（矩形１０９３）する。ユーザは一つWebコンテンツの全体像と、一部の詳細情報をあわせて確認しながら、Webコンテンツの選択が可能となる。【００７８】
従って、Webコンテンツ閲覧情報表示装置２０を用いれば、ユーザのWebコンテンツ閲覧時の動作から、ユーザが実際に目にした部分だけを切り出して縮小したサムネイル画像と、ユーザが長時間閲覧していた、またリンクを押下した部分を切り出したトリミング画像とを生成、保存し、後日閲覧履歴参照時に提示することで、タイトルやURL、閲覧日時といった基本的な情報に加え、Webコンテンツにおいて実際に閲覧した領域全体の構成や雰囲気を把握可能とするサムネイル画像と、ユーザが特に意識的に閲覧していたと推測される一部の領域を、普段ユーザがWebコンテンツを閲覧するのと同じ環境（主にテキストのサイズ）で確認できるトリミング画像とを参照しながら、ユーザが望むWebコンテンツを選択することが可能となる。
更に、Webコンテンツを共通のURLドメインや閲覧期間等でグルーピングしたコンテンツグループと、そのグループに含まれるコンテンツ群を、サムネイル画像やトリミング画像で表し、縦横の２軸に配置することで、リモコンや携帯電話等の上下左右ボタンでの操作による閲覧履歴選択を可能とする。【００７９】
（２）実施の形態２
次に、本発明の第２の実施形態であるWebコンテンツ閲覧情報表示装置２１について説明する。本実施例の最大の要点は、Webコンテンツ閲覧情報表示装置２０の構成に加え、閲覧履歴画面生成部５がタイトル修正部５１を備え、閲覧動作取得部６がレイアウト解析部６１を備える点にある。
レイアウト解析部６１が、閲覧中のWebコンテンツのレイアウト構造を解析し、サムネイル画像およびトリミング画像作成時の領域決定に補正を行う。更に、タイトル修正部５１が、同じコンテンツグループに含まれるWebコンテンツ群においてタイトルの一部が同じ場合に、タイトルの共通部分を省略することで、閲覧履歴画面を参照するユーザは、よりユーザにとって有効となりうる情報を確認しながら、自身の望むWebコンテンツ選択が可能となる。【００８０】
Webコンテンツ閲覧情報表示装置２１の構成図を図２に示す。
以下、図１のWebコンテンツ閲覧情報表示装置２０と異なる構成要素についてのみ説明する。
レイアウト解析部６１は、コンテンツ閲覧操作制御部３からのレンダリング情報を受信し、Webコンテンツのレイアウトを解析、一つのWebコンテンツ構成するコンテンツを幾つかのブロックに分割し、ブロック位置に従い閲覧動作取得部６が算出する表示領域幅や、注目座標およびリンク座標に補正を加える。表示領域幅の境界近くにブロックの境界がある場合、当該ブロック全体のうち表示領域に含まれる比率が規定の閾値を超える場合は表示領域を当該ブロックにあわせて拡張し、逆に表示領域内にブロックの一部のみが含まれている場合は当該ブロックを排除するように表示領域を縮小する。同様に、注目座標やリンク座標の規定範囲内に、ブロックの境界がある場合、注目座標あるいはリンク座標を、当該ブロックの領域にあわせ左あるいは右に移動させる。
尚、レイアウト解析の手段としては、Webコンテンツを記述するHTML(HyperText
Markup Language)等の構造化文書の記述を解析する、レンダリングされたWebコンテンツの全体画像に対し画像処理を施して情報の分布によってクラスタリングを行う、Webコンテンツ毎にレイアウト情報に関するテンプレートを用意する、コンテンツ提供側がレイアウト情報を付加情報としてWebコンテンツとあわせて提供する等、様々な方法が考えられるが、本発明ではいずれの方法を採っても構わない。【００８１】
タイトル修正部５１は、閲覧履歴画面生成時において、同じコンテンツグループに含まれるWebコンテンツ群において、タイトルの一部文字列が同じ場合に、タイトルの共通部分を省略する。【００８２】
次に、Webコンテンツ閲覧情報表示装置２１の動作例として、ユーザによるWebコンテンツ閲覧時に閲覧動作取得部６が取得する閲覧動作情報およびリンク情報、コンテンツ画像生成部７が生成するサムネイル・トリミング画像、閲覧履歴画面生成部５が生成する画面例を図示し、サムネイル画像およびコンテンツ画像生成の流れと、閲覧履歴画面について詳細に説明する。
図１０に、図４に示したWebコンテンツ１１００に対し、レイアウト解析部６１によるレイアウト構造を行った解析結果例を示す。Webコンテンツ１１００を破線で示す４つのブロック（ブロック１１０１〜１１０４）で構成されているものと解析したとし、ユーザは、図４で示した例と同様の閲覧動作（図１１フレーム１１１０）をとったとする。表示領域幅Sx,Syにおいて、ブロック１１１１の大部分の領域が含まれており、また注目点がブロック１１１１内にあることからブロック１１１１をユーザの注目の高いブロックと見なし、表示領域の横幅Sxを、ブロック１１１１の右端の境界に従いSx２に変更する。更に、表示領域幅Sx,Syに含まれるブロック１１１２の領域は少ないことから、表示領域の縦幅Syを、ブロック１１１２の上端の境界に従いSy２に変更する。
変更された表示領域幅Sx２,Sy２に従って画像を切り出し、これを縮小したサムネイル画像（図１２ １１２０）を生成し、閲覧履歴情報記憶部８に保存する。更に、注目座標(Tx１,Ty１)の規定範囲内に、ブロック１１１１の上端の境界が存在することから、注目座標を（Tx１,Ty３)に変更し、サムネイル画像１１２１を生成する。【００８３】
次に図１３に、閲覧履歴画面生成部５が生成する画面例を示す。
画面１１３０において、各コンテンツグループの代表的なWebコンテンツのサムネイル画像を横方向に配置する。選択中のコンテンツグループに含まれるWebコンテンツのトリミング画像を縦方向に配置する。トリミング画像に付随するWebコンテンツの基本情報１１３１では、タイトルから同コンテンツグループに属するWebコンテンツで共通するタイトル先頭部の「ニュースA」を省略し、表示している。図６の画面１０６０において、Webコンテンツ１０６４のタイトル全文を確認できなかったが、画面１１３０では確認可能となっている。尚、本例では省略する部分がタイトルの先頭部となっているが、途中の文字列を省略するようにしても良い。【００８４】
更に図１４に、閲覧履歴画面生成部５が生成する別の画面例を示す。
画面１１４０において、各コンテンツグループの代表的なWebコンテンツのサムネイル画像を縦方向に配置し、上下方向操作によりコンテンツグループの選択を許す。各、サムネイル画像の横には代表WebコンテンツのタイトルやURLに加え、同コンテンツグループが含むWebコンテンツを示すアイコン画像を横方向に配置し、左右方向操作による選択を許す。現在、選択中のWebコンテンツに対応する詳細情報として、画面右側にタイトルやURL、閲覧日時に加え、大きめのサムネイル画像１１４１を確認可能となる。図８におけるサムネイル画像１０８５と比べると、ブロックの先頭部分である記事のタイトルや冒頭部分を読み取ることが可能となる。【００８５】
従って、Webコンテンツ閲覧情報表示装置２１を用いれば、Webコンテンツ閲覧情報表示装置２０において表示するサムネイル画像およびトリミング画像を、ユーザにとってより内容を把握し易いものとすることが可能となる。
更に、同コンテンツグループにおいて、タイトルの一部文字列が共通の場合に、共通部分を省略して表示することで、特に表示領域に制限がある環境下において、ブログや掲示板等の同サイト内の先頭部分が共通のタイトルとなるWebコンテンツを多数閲覧していた場合に、無駄な情報を排除して一覧性を向上することが可能となる。【００８６】
（３）実施の形態３
次に、本発明の第３の実施形態であるWebコンテンツ閲覧情報表示装置２２について説明する。
本実施例の最大の要点は、Webコンテンツ閲覧情報表示装置２１の構成に加え、閲覧履歴画面生成部５が閲覧経路選択生成部５２を備える点にある。閲覧経路選択生成部５２が、閲覧履歴画面において選択中のWebコンテンツの閲覧経路を履歴情報記憶部８より取得し、選択中のWebコンテンツの前後に配置、選択を許すことで、閲覧履歴画面を参照するユーザは、コンテンツグループに含まれるWebコンテンツを選択している際に、別のコンテンツグループの選択操作に戻ることなく、選択中のWebコンテンツから以前に移動した、あるいは選択中のWebコンテンツの前に閲覧していたWebコンテンツを辿ることが可能となる。【００８７】
Webコンテンツ閲覧情報表示装置２２の構成図を図１５に示す。
以下、図２のWebコンテンツ閲覧情報表示装置２１と異なる構成要素についてのみ説明する。
閲覧経路選択生成部５２は、履歴情報記憶部８が保持するWebコンテンツの閲覧経路を参照し、閲覧履歴画面において、Webコンテンツ選択時に当該Webコンテンツの閲覧経路に従い、Webコンテンツが配置されている軸方向と鉛直方向（すなわち、コンテンツグループが配置されている軸と平行）に、閲覧したWebコンテンツを示すテキスト、あるいはアイコン画像、あるいはサムネイル画像、あるいはトリミング画像を配置し、選択を可能とする。
更に、閲覧経路選択生成部５２は、選択中のWebコンテンツに対して、当該Webコンテンツに至ることとなったリンクを含むトリミング画像を、当該Webコンテンツの一つ前に閲覧していたWebコンテンツを示す付加情報として提示する。
更に、閲覧経路選択生成部５２は、閲覧経路を辿りWebコンテンツを選択していく際には、現在選択しているWebコンテンツと同じコンテンツグループに属すWebコンテンツを選択可能とするように、選択中のコンテンツグループおよびWebコンテンツの表示を変更する。【００８８】
次に、Webコンテンツ閲覧情報表示装置２２の動作例として、閲覧履歴画面生成部５が生成する画面例を図１６に示し、閲覧履歴画面について詳細に説明する。画面１１６０において、各コンテンツグループの代表的なWebコンテンツのサムネイル画像を横方向に配置し、左右方向操作での選択を可能とする。選択中のコンテンツグループに含まれるWebコンテンツのトリミング画像を縦方向に配置し、上下方向操作での選択を可能とする。更に、Webコンテンツ選択時において、選択中のWebコンテンツ（トリミング画像１１６１）の閲覧経路に従い、過去にユーザが実際に閲覧した順にWebコンテンツを示すトリミング画像を横方向に配置、左右方向操作での選択を可能とする。
画面１１６０の例では、サイト「ブログA」における過去に閲覧したWebコンテンツの中で、「事件A」に関する記事を選択している状態であり、選択中のWebコンテンツ１１６１の一つ左に配置されているWebコンテンツ１１６２は、Webコンテンツ１１６１の一つ前に閲覧していたWebコンテンツを示し、Webコンテンツ１１６１に移動する際に押下したリンク周辺のトリミング画像が表示されている。
また、ユーザの閲覧経路が、Webコンテンツ１１６１から別のページに移動した後、一度Webコンテンツ１１６１に戻り、また別のリンクを選択して別のWebコンテンツに移動するといった経路となっている場合、画面１１６０の例のように同じWebコンテンツを示すトリミング画像が複数配置されることになる（トリミング画像１１６１,１１６３）。【００８９】
図１７に、画面１１６０の状態から左方向の操作を一度試行した画面例を示す。
Webコンテンツ１１６２を選択した状態となり、リンクを含むトリミング画像１１６２に変わり、注目座標から生成したトリミング画像１１７１に切り替わる。選択中のWebコンテンツ１１７１が属するコンテンツグループを示すサムネイル画像１１７２が画面上部中央に来るようにサムネイル画像群がスクロールし、サムネイル画像１１７２で示すコンテンツグループが含むWebコンテンツを示すトリミング画像を上下方向に配置しなおす。画面１１７０の例では、Webコンテンツ１１７１はサイト「ブログB」で過去に閲覧したWebコンテンツの一つであり、Webコンテンツ１１６１と同様に「事件A」に関する記事となっている。【００９０】
従って、Webコンテンツ閲覧情報表示装置２２を用いれば、閲覧期間やURLドメインによって絞りこんだWebコンテンツを確認しながら、各Webコンテンツの閲覧経路を提示、選択可能とすることで、ユーザが当該Webコンテンツをどのような状況で閲覧するに至ったかを思い出す支援となると共に、最初のグループ選択（絞り込み）を間違えていた場合にもグループ選択まで戻ることなく、閲覧経路に辿って別のグループに属するWebコンテンツに移動することが可能となる。
特に、共通の内容を扱ったブログや掲示板、ニュースサイトの記事をリンクを辿りながら閲覧した場合には、その内容を扱った特定のWebコンテンツを探索する際に、正確なタイトルや期間、属するコンテンツグループ（サイト）を記憶していなくとも、関連記事を扱ったWebコンテンツを一つ発見できれば、そこから閲覧経路を辿って、望みのWebコンテンツに辿り付けることが期待できる。【００９１】
（４）実施の形態４
次に、Webコンテンツ閲覧情報表示装置２３について説明する。本実施例の最大の要点は、Webコンテンツ閲覧情報表示装置２２の構成に加え、ブックマーク画面生成部９とブックマーク情報記憶部１０を備える点にある。ブックマーク画面生成部９は、履歴情報記憶部８が保持する閲覧履歴情報と、ブックマーク情報記憶部１０が保持するユーザが登録しているブックマーク情報を紐付け、ブックマーク情報と履歴情報を併せて表示することで、ブックマーク登録しているWebコンテンツと同じコンテンツグループに属する過去に閲覧したWebコンテンツを直接選択することが可能となる。【００９２】
Webコンテンツ閲覧情報表示装置２３の構成図を図１８に示す。
以下、Webコンテンツ閲覧情報表示装置２２と異なる構成要素についてのみ説明する。
ブックマーク情報記憶部１０は、ユーザがお気に入りとして登録しているWebコンテンツのタイトルやURLをブックマーク情報として保持する。ブックマーク画面生成部９は、履歴情報記憶部８が保持する閲覧履歴情報およびブックマーク情報記憶部１０が保持するブックマーク情報を参照し、ブックマーク登録されているWebコンテンツそれぞれに、関連する履歴情報を紐付け、あわせて提示するブックマーク画面を生成する。【００９３】
次に、Webコンテンツ閲覧情報表示装置２３の動作例として、ブックマーク画面生成部９が生成する画面例を図１９に示し、ブックマーク画面について詳細に説明する。
画面１１９０において、ブックマーク登録されているWebコンテンツのサムネイル画像を横方向に配置し、左右方向操作での選択を可能とする。更に、選択中のブックマーク登録Webコンテンツと同じコンテンツグループに含まれるWebコンテンツが閲覧履歴に在れば、該当するWebコンテンツを示すトリミング画像を縦方向に配置し、上下方向操作での選択を可能とする（トリミング画像１１９１）。
画面１１９０の例では、「TV・ニュース」フォルダ内にブックマーク登録されている「ニュースA」というWebコンテンツを選択している状態で、当該Webコンテンツを示すサムネイル画像の下に、サイト「ニュースA」内のWebコンテンツを閲覧日時が新しい順に配置している。
ユーザは、ブックマークを選択しながら、関連する閲覧履歴を確認でき、必要な場合は、直接閲覧履歴を選択して該当するWebコンテンツに移動することが可能となる。【００９４】
更に図２０に、ブックマーク画面生成部９が生成する別の画面例を示す。
画面１２００において、ブックマーク登録されているWebコンテンツのサムネイル画像を横方向に配置し、左右方向操作での選択を可能とする。更に、選択中のブックマーク登録Webコンテンツと同じコンテンツグループに含まれるWebコンテンツが閲覧履歴に在れば、該当するWebコンテンツを示すタイトルを縦方向に一覧表示し、上下方向操作での選択を可能とする（リスト１２０１）。
更に、選択中のWebコンテンツ（フォーカス１２０２）を起点とした閲覧経路を左右方向操作で辿ることを可能とする。画面１２００の例では、ブックマーク登録されている検索システムAを選択中の状態で、リスト１２０１には検索システムAのトップページを先頭に、実際にキーワードを入力した検索結果を示すWebコンテンツが一覧表示されている。
画面１２００の例のように、検索キーワードがWebコンテンツタイトルに反映する検索システムでは、使用したキーワードを直接確認することも可能となる。更に、検索結果から移動したWebコンテンツを、タイトルやURLに加えサムネイル画像１２０３を確認しながら、左右方向操作で選択することが可能となる。【００９５】
従って、Webコンテンツ閲覧情報表示装置２３を用いれば、ブックマーク登録されたWebコンテンツをサムネイル画像を確認しながら選択可能となり、加えて、選択中のWebコンテンツに関連する閲覧履歴を併せて提示、選択可能とすることで、直接閲覧履歴を選択して該当するWebコンテンツに移動することが可能となる。結果、ブックマーク登録されたWebコンテンツを選択し、そこから過去の記憶を思い起こしながら望むページを辿る手間が軽減される。【００９６】
（５）実施の形態５
次に、Webコンテンツ閲覧情報表示装置２４について説明する。本実施例の最大の要点は、Webコンテンツ閲覧情報表示装置２０の構成に加え、コンテンツ変換部１１とページブロック選択生成部１２を備え、更にコンテンツ画像生成部７がブロック画像生成部７１を備える点にある。コンテンツ変換部１１が、取得したWebコンテンツを携帯電話やＴＶ・リモコン環境で快適に閲覧できるように、コンテンツの変換処理を行う。更に、ブロック画像生成部７１が、コンテンツ変換部１１が生成したインデックスページから、元のWebページから変換（分割）された各ページの内容を示すブロック画像を生成、閲覧履歴情報記録部８に保存する。後に、ユーザが閲覧履歴を参照する際に、ページブロック選択生成部１２が閲覧履歴記録部８が保持する閲覧動作情報を参照し、過去参照したWebコンテンツのサムネイル画像とトリミング画像、ブロック画像を参照可能とするページブロック選択画面を生成する。【００９７】
Webコンテンツ閲覧情報表示装置２４の構成図を図２１に示す。
以下、Webコンテンツ閲覧情報表示装置２０と異なる構成要素についてのみ説明する。
コンテンツ変換部１１は、コンテンツ閲覧操作制御部３からのWebコンテンツ閲覧操作に関する情報を受信し、ネットワーク通信部４を介して操作者が求めるWebコンテンツにアクセスする。更に、コンテンツ変換部１１は、ネットワーク通信部４を介して受信したWebコンテンツの内容（タグ構成や画像、レイアウト情報等）を解析し、画像の縮小・削除・変換やタグの変更・削除、複数のコンテンツへのページ分割、分割したページを一覧表示して任意のページを選択可能とするインデックスページの生成といった変換処理を実行し、インデックスページと、インデックスページにおける各分割ページに対応する位置に関する情報（リンク位置や、レイアウト情報）を、コンテンツ閲覧操作制御部３に出力する。更に、コンテンツ変換部１１は、操作者のインデックスページでの閲覧操作を受信し、操作内容（選択リンク）に対応した分割ページをコンテンツ閲覧操作制御部３に出力する。
Ｗｅｂコンテンツの変換は、取得したコンテンツのすべてに対して行ってもよいし、ＰＣで閲覧することを想定して作成されたＷｅｂコンテンツ（以下、「ＰＣ向けＷｅｂコンテンツ」という）に対してだけ行うようにしてもよい。例えば、取得したコンテンツがＨＴＭＬタグのフルセットを使用している、ＪａｖａスクリプトやＦｌａｓｈを使用している、大きいサイズの画像を使用している、といった場合にそのＷｅｂコンテンツがＰＣ向けＷｅｂコンテンツであると判定することができる。【００９８】
閲覧動作取得部６は、コンテンツ閲覧操作制御部３からのインデックスページにおけるコンテンツ閲覧操作に関する情報を受信し、タイトル、URL、閲覧開始日時、閲覧終了日時に加え、閲覧領域情報として規定時間（例えば１秒）毎の画面上に表示されている領域（座標）を、リンク情報として押下されたリンクやボタンの位置とそのリンク先ＵＲＬ等を取得し、コンテンツ画像生成部７および閲覧履歴情報記録部８に出力する。【００９９】
ブロック画像生成部７１は、閲覧動作取得部６からの閲覧領域情報およびリンク情報を受信し、インデックスページ全体の画像から閲覧領域に従い切り出す部分を決定し、切り出した矩形領域を縮小したサムネイル画像を生成し、履歴情報記録部８に出力する。更に、ブロック画像生成部７１は、インデックスページと分割ページの対応関係に従い、インデックスページ内の各分割ページに対応する領域を決定し、インデックスページ全体画像から各分割ページに対応する領域を含む部分を切り出したブロック画像を、全ての分割ページに対して生成し、閲覧履歴情報記録部８に出力する。【０１００】
ページブロック選択生成部１２は、閲覧履歴画面生成部５が閲覧履歴画面を生成する際に、閲覧履歴情報記録部８にブロック画像を保持するコンテンツをインデックスページであるとして、閲覧履歴画面において該当するコンテンツのトリミング画像近辺にインデックスページであることを明示するアイコン画像を配置すると共に、閲覧履歴画面においてWebコンテンツ選択時に、閲覧履歴画面生成部５からの出力を受信、ページブロック選択画面の生成を開始する。更に、ページブロック選択生成部１２は、URLのドメインに従いグルーピングした閲覧コンテンツのインデックスページを表すアイコン画像あるいはサムネイル画像を水平あるいは鉛直方向にコンテンツ名称や閲覧頻度に従い配置し、同コンテンツ内の各分割ページを表すタイトル一覧あるいはブロック画像あるいはサムネイル画像をもう一方の軸方向に配置することで、リモコンでの上下左右での閲覧箇所（分割ページ）選択を可能とするページブロック選択画面を生成し、コンテンツ閲覧操作制御部３に出力する。【０１０１】
次に、Webコンテンツ閲覧情報表示装置２４の動作例として、ユーザによるWebコンテンツ閲覧時に、コンテンツ変換部１１が変換、生成するインデックスページおよび分割ページ、ブロック画像生成部７１が生成するブロック画像、ページブロック選択生成部１２が生成する画面例を図示し、PC向けWebコンテンツに変換処理を行った場合のコンテンツ閲覧操作から、ブロック画面生成の流れとページブロック選択画面について詳細に説明する。【０１０２】
図２２に、ユーザが閲覧対象とするPC向けWebコンテンツの変換処理例を示す。
コンテンツ変換部１１は、PC向けWebコンテンツ２０００の内容を解析し、文字や画像のサイズの調整や、携帯電話やリモコン操作で対応が困難になるインタラクションを要求する部分（JavaScriptやFlash等）の排除等、クライアント端末での閲覧環境に適したものとなるように構造化文書の修正を行う。その際、コンテンツ変換部１１は、単一のコンテンツに含まれる情報量が、携帯電話やリモコン環境で閲覧するには過度になり、単一のコンテンツ内での移動、必要な情報の探索が困難になる問題を緩和するために、複数の分割ページ（図２２ Webコンテンツ２０１１〜２０１４）に分割すると共に、分割ページの一覧を記載し、任意の分割ページへの移動を可能とするインデックスページ（図２２ Webコンテンツ２０２０）を作成する。【０１０３】
尚、分割ページ２０１１、分割ページ２０１２、分割ページ２０１３、分割ページ２０１４は、それぞれPC向けWebコンテンツ２０００内のブロック２００１、ブロック２００２、ブロック２００３、ブロック２００４に対応し、各ブロック内の情報を、クライアント端末環境で閲覧しやすい形態に変換したものである。尚、本例では、インデックスページ２０２０は、元のPC向けWebコンテンツ２０００をそのまま縮小したイメージを備え、各ブロックと分割ページに対するレイアウト情報を保持するものとしているが、各分割ページを呼び出すテキストリンクを表示するに留めるものも考えられる。【０１０４】
図２３に、ユーザが閲覧している変換処理されたWebコンテンツの例を示す。
ユーザはPC向けWebコンテンツにアクセスした場合、コンテンツ変換部が生成したインデックスページ２１００を、PC向けWebコンテンツの全体像（目次）を示すものとして参照し、ここから詳細を参照したいブロックを選択することで、より詳細な情報（本来のPC向けWebコンテンツで記載されている内容）を参照することが可能となる。例えば、ユーザがインデックスページ２１００において、ブロック２１０１を選択、決定した場合、ブロック２１０１に対応する分割ページ２１０２に遷移し、参照可能となる。また、分割ページ２１０２の参照時にブラウザの「戻る」ボタン押下などにより、インデックスページ２１００に戻り、別のブロックを選択することや、分割ページ２１０２が含む別のWebコンテンツへのリンクを押下して、別のWebコンテンツにアクセスすることが可能となる。【０１０５】
閲覧動作取得部６は、インデックスページ２１００におけるユーザの操作情報を取得する。
コンテンツ画像生成部７は、インデックスページ２１００全体の画像ファイルを作成、保持した上で、サムネイル画像およびトリミング画像を生成、閲覧履歴情報記録部８に保存する。更に、ブロック画像生成部７１は、インデックスページにおける各分割ページの対応部分の全てに対して、規定の横縦幅に従い画像を切り出し、ブロック画像を生成、各分割ページのブロック画像として閲覧履歴情報記録部８に保存する。本例では、全ての分割ページに対するものとして４個のブロック画像（図２４、２２０１〜２２０４）を生成している。【０１０６】
次に図２５に、ユーザが過去の閲覧履歴を参照する際に、閲覧履歴画面生成部５が生成する画面例を示す。
閲覧履歴画面２３００では、WebコンテンツをURLドメインによりグルーピングし、各コンテンツグループの代表コンテンツのサムネイル画像を横軸方向に配置する。更に、選択中のWebコンテンツグループにおいて過去に閲覧したWebコンテンツのトリミング画像が縦方向に配置される。
本例では、PC向けWebコンテンツを含むドメイン（ニュースＡ）を選択中の状態にあり、ニュースＡのトップページのサムネイル画像２３０２の下に、同サイト内のPC向けWebコンテンツのトリミング画像２３０３を縦方向に閲覧日時に従って配置、各トリミング画像に対して、対応するWebコンテンツがPC向けのWebコンテンツである（インデックスページを備える）ことを明示するアイコン画像２３０１を表示している。
ユーザは、上下方向操作によりWebコンテンツ選択を行いながら、選択中のコンテンツがPC向けのWebコンテンツであるかを確認可能となる。ユーザがPC向けのWebコンテンツを選択、決定すると、選択したWebコンテンツについてのページブロック選択画面に遷移する。【０１０７】
次に図２６に、閲覧履歴画面から遷移する際に、ページブロック選択生成部１２が生成する画面例を示す。
ページブロック選択画面２４００では、閲覧履歴画面２３００からの遷移に対応してタイトル部２４０１で、選択中のWebコンテンツを含むコンテンツグループの代表コンテンツのURLを記述している。選択中のWebコンテンツを含むコンテンツグループに属するWebコンテンツ（インデックスページ）のサムネイル画像２４０２を横軸方向に配置する。本例では、Webコンテンツのタイトル順にサムネイル画像を横方向に配置している。ページブロック選択画面２４００では、画面中央のサムネイル画像２４０３を選択中の状態であり、選択中のサムネイル画像に関する情報としてタイトルやURLを提示する。
ユーザは、Webコンテンツ（インデックスページ）全体の構成や雰囲気を把握できるサムネイル画像を確認しながら、左右方向操作によりWebコンテンツ（インデックスページ）を切り替えることが可能となる。【０１０８】
更に、選択中のWebコンテンツ（インデックスページ）から選択可能な全ての分割ページとして、各分割ページに対応するブロック画像２４０４が縦方向に配置される。分割ページ（ブロック画像）の配置順は、過去に閲覧した分割ページを優先して閲覧時間順に並べた上で、閲覧していない分割ページを元のPC向けWebコンテンツでの表記順に並べ、上下方向操作による選択を可能とする。
ユーザは、分割されたページの見出しやURL、閲覧日時、閲覧履歴の有無といった基本的な情報に加え、分割ページ（PC向けWebコンテンツの一部）の大局的な内容を把握できるブロック画像を確認しながら、望みの分割ページを探索することが可能となる。【０１０９】
更に、ユーザが下方向に分割ページ選択を進めていくと、過去に閲覧していなかった分割ページ２４０５についてもブロック画像を確認しながら選択可能であり、以前にPC向けWebコンテンツを閲覧した際に参照しなかった部分についても、おおまかな内容を確認することが期待できる。【０１１０】
ユーザは、ページブロック選択画面２４００で自身の望むPC向けWebコンテンツの中の一部の情報（分割ページ）を直接選択することにより、閲覧時にインデックスページを辿って分割ページを選択するという手間を排除できる。
従って、Webコンテンツ閲覧情報表示装置２４を用いれば、Webコンテンツを変換処理し、元のWebコンテンツを分割、インデックスページを生成したものを閲覧した場合に、インデックスページに対してサムネイル画像およびトリミング画像を生成することに加えて、分割された各ページへのリンク、内容に対応する部分についてインデックスページからブロック画像を生成、保存し、後日閲覧履歴参照時に元のWebコンテンツ（例えばＰＣ向けコンテンツ）に関する情報を表示する際に提示することで、元のWebコンテンツを構成する各ブロック（分割ページ）に関する閲覧履歴（閲覧の有無を含む）を確認しながら、直接必要なブロックを選択してアクセスすることが可能となる。【０１１１】
尚、図２１に示す構成図は、Web閲覧を行うユーザが保持するクライアント端末が全ての処理部を備える構成であるが、コンテンツ変換部１１を外部サーバが保持し、外部サーバを介してPC向けWebコンテンツにアクセス、変換処理されたWebコンテンツ（インデックスページや分割ページ）をクライアント端末で受信する構成しても構わない。
このような構成の場合、クライアント端末側で直接、PC向けWebコンテンツを構成する一部のブロック（分割ページ）を指定してアクセスすることで、クライアント端末とコンテンツ変換処理部１１を保持する外部サーバ間の通信データ量が削減されるため、ユーザはより少ない待ち時間で自身の望む情報に到達することが可能となる。【０１１２】
（６）実施の形態６
次に、Webコンテンツ閲覧情報表示装置２５について説明する。本実施例の最大の要点は、Webコンテンツ閲覧情報表示装置２３の構成に加え、コンテンツ変換部１１とページブロック選択生成部１２を備え、更にコンテンツ画像生成部７がブロック画像生成部７１を備える点にある。コンテンツ変換部１１が、Webコンテンツを携帯電話やＴＶ・リモコン環境で快適に閲覧できるように、コンテンツの変換処理を行う。更に、ブロック画像生成部７１が、コンテンツ変換部１１が生成したインデックスページから、元のWebページから変換（分割）された各ページの内容を示すブロック画像を生成、閲覧履歴情報記録部８に保存する。後に、ユーザがブックマークを参照する際に、ページブロック選択生成部５１が閲覧履歴記録部８が保持する閲覧動作情報を参照し、過去参照したWebコンテンツのサムネイル画像とトリミング画像、ブロック画像を参照可能とするページブロック選択画面を生成する。【０１１３】
Webコンテンツ閲覧情報表示装置２５の構成図を図２７に示す。
以下、Webコンテンツ閲覧情報表示装置２３、２４と異なる構成要素についてのみ説明する。
ページブロック選択生成部１２は、ブックマーク画面生成部９がブックマーク画面を生成する際に、閲覧履歴情報記録部８にブロック画像を保持するコンテンツをインデックスページであるとして、ブックマーク画面において該当するコンテンツのトリミング画像近辺にインデックスページであることを明示するアイコン画像を配置すると共に、ブックマーク画面においてWebコンテンツ選択時に、ブックマーク画面生成部９からの出力を受信、ページブロック選択画面の生成を開始する。更に、ページブロック選択生成部１２は、ブックマーク登録しているWebコンテンツと同じコンテンツグループに属する（ドメインが同じである）閲覧コンテンツのインデックスページを表すアイコン画像あるいはサムネイル画像を水平あるいは鉛直方向にコンテンツ名称や閲覧頻度に従い配置し、同コンテンツ内の各分割ページを表すタイトル一覧あるいはブロック画像あるいはサムネイル画像をもう一方の軸方向に配置することで、リモコンでの上下左右での閲覧箇所（分割ページ）選択を可能とするページブロック選択画面を生成し、コンテンツ閲覧操作制御部３に出力する。【０１１４】
次に、Webコンテンツ閲覧情報表示装置２５の動作例として、実施の形態５で紹介したものと同様のインデックスページおよび分割ページ、ブロック画像を閲覧履歴情報記録部８が保持するものとして、ページブロック選択生成部１２が生成する画面例を図示し、ブックマーク画面からページブロック選択画面に遷移する部分について詳細に説明する。【０１１５】
図２８に、ユーザが過去の閲覧履歴を参照する際に、ブックマーク画面生成部９が生成する画面例を示す。
ブックマーク画面２５００において、ブックマーク登録されているWebコンテンツのサムネイル画像２５０２を横方向に配置する。更に、選択中のブックマーク登録Webコンテンツと同じコンテンツグループに含まれるWebコンテンツが閲覧履歴に在れば、該当するWebコンテンツを示すトリミング画像２５０３を縦方向に配置する。
本例では、PC向けWebコンテンツを含むドメイン（ニュースＡ）を選択中の状態にあり、ニュースＡのサムネイル画像の下に、同サイト内のPC向けWebコンテンツのトリミング画像を縦方向に閲覧日時に従って配置、各トリミング画像に対して、対応するWebコンテンツがPC向けのWebコンテンツである（インデックスページを備える）ことを明示するアイコン画像２５０１を表示している。【０１１６】
ユーザは、上下方向操作によりWebコンテンツ選択を行いながら、選択中のコンテンツがPC向けのWebコンテンツであるかを確認可能となる。ユーザがPC向けのWebコンテンツを選択、決定すると、選択したWebコンテンツについてのページブロック選択画面に遷移する。【０１１７】
次に図２９に、ブックマーク画面から遷移する際に、ページブロック選択生成部１２が生成する画面例を示す。
ページブロック選択画面２６００では、ブックマーク画面２５００からの遷移に対応してタイトル部２６０１で、選択中のWebコンテンツを含むブックマーク登録されているWebコンテンツのURLを記述している。選択中のWebコンテンツを含むコンテンツグループに属するWebコンテンツ（インデックスページ）のサムネイル画像を横軸方向に配置する。【０１１８】
ページブロック選択画面２６００では、画面中央のサムネイル画像を選択中の状態であり、選択中のサムネイル画像に関する情報としてタイトルやURLを提示する。ユーザは、Webコンテンツ（インデックスページ）全体の構成や雰囲気を把握できるサムネイル画像を確認しながら、左右方向操作によりWebコンテンツ（インデックスページ）を切り替えることが可能となる。更に、選択中のWebコンテンツ（インデックスページ）から選択可能な全ての分割ページとして、各分割ページに対応するブロック画像が縦方向に配置される。
分割ページ（ブロック画像）の配置順は、過去に閲覧した分割ページを優先して閲覧時間順に並べた上で、閲覧していない分割ページを元のPC向けWebコンテンツでの表記順に並べ、上下方向操作による選択を可能とする。【０１１９】
ユーザは、分割されたページの見出しやURL、閲覧日時、閲覧履歴の有無といった基本的な情報に加え、分割ページ（PC向けWebコンテンツの一部）の大局的な内容を把握できるブロック画像を確認しながら、望みの分割ページを探索することが可能となる。更に、ユーザが下方向に分割ページ選択を進めていくと、過去に閲覧していなかった分割ページについてもブロック画像を確認しながら選択可能であり、以前にPC向けWebコンテンツを閲覧した際に参照しなかった部分についても、おおまかな内容を確認することが期待できる。【０１２０】
ユーザは、ページブロック選択画面２６００で自身の望むWebコンテンツの中の一部の情報（分割ページ）を直接選択することにより、閲覧時にインデックスページを辿って分割ページを選択するという手間を排除できる。
従って、Webコンテンツ閲覧情報表示装置２５を用いれば、ブックマーク登録されたWebコンテンツの参照時に、関連するWebコンテンツに関する情報として、サムネイル画像およびブロック画像を提示することで、ブックマーク画面からWebコンテンツを構成する各ブロック（分割ページ）に関する閲覧履歴（閲覧の有無を含む）を確認しながら、直接必要なブロックを選択してアクセスすることが可能となる。【０１２１】
尚、図２７に示す構成図は、Web閲覧を行うユーザが保持するクライアント端末が全ての処理部を備える構成であるが、コンテンツ変換部１１を外部サーバが保持し、外部サーバを介してPC向けWebコンテンツにアクセス、変換処理されたWebコンテンツ（インデックスページや分割ページ）をクライアント端末で受信する構成しても構わない。
このような構成の場合、クライアント端末側で直接、PC向けWebコンテンツを構成する一部のブロック（分割ページ）を指定してアクセスすることで、クライアント端末とコンテンツ変換処理部１１を保持する外部サーバ間の通信データ量が削減されるため、ユーザはより少ない待ち時間で自身の望む情報に到達することが可能となる。
【産業上の利用可能性】
【０１２２】
本発明によれば、Webコンテンツ閲覧、特に携帯電話やTV視聴環境でのリモコン操作によるWebコンテンツ閲覧において、ディスプレイの表示領域に制限がある場合や、ダイレクトポインティング手段やキーボードを備えていない場合においても、ユーザが閲覧履歴を参照する際に、タイトルやURLに加えて、過去にユーザが注目していたと推測される当該Webコンテンツのサムネイル画像およびトリミング画像を提示する閲覧履歴画面およびブックマーク画面を提供することで、ユーザの望む過去に閲覧したWebコンテンツへのアクセスを容易とするといった用途に適用できる。【０１２３】
更に、携帯電話やTV視聴環境でのリモコン操作によるWebコンテンツ閲覧を想定して、Webコンテンツをより閲覧し易い形式に変換処理を行うサービスと連携する場合において、変換前のWebコンテンツに対するのみでなく、元のWebコンテンツを分割した個別のコンテンツに対する履歴情報を取得、単一のWebコンテンツを構成する各コンテンツを示すブロック画像を提示する閲覧履歴画面およびブックマーク画面を提供することで、ユーザの望む過去に閲覧したWebコンテンツの含む一部の情報へのアクセスを容易とするといった用途に適用できる。
【図面の簡単な説明】
【０１２４】
【図１】本発明の第１の実施形態であるWebコンテンツ閲覧情報表示装置の構成の一例を示す構成図である。
【図２】本発明の第２の実施形態であるWebコンテンツ閲覧情報表示装置の構成の一例を示す構成図である。
【図３】Webコンテンツの一例を示す説明図である。
【図４】Webコンテンツ閲覧動作取得処理の一例を示す説明図である。
【図５】Webコンテンツ画像生成処理の一例を示す説明図である。
【図６】閲覧履歴画面の一例を示す説明図である。
【図７】閲覧履歴画面の一例を示す説明図である。
【図８】閲覧履歴画面の一例を示す説明図である。
【図９】閲覧履歴画面の一例を示す説明図である。
【図１０】Webコンテンツのレイアウト解析結果の一例を示す説明図である。
【図１１】Webコンテンツ閲覧動作取得処理の一例を示す説明図である。
【図１２】Webコンテンツ画像生成処理の一例を示す説明図である。
【図１３】閲覧履歴画面の一例を示す説明図である。
【図１４】閲覧履歴画面の一例を示す説明図である。
【図１５】本発明の第３の実施形態であるWebコンテンツ閲覧情報表示装置の構成の一例を示す構成図である。
【図１６】閲覧履歴画面の一例を示す説明図である。
【図１７】閲覧履歴画面の一例を示す説明図である。
【図１８】本発明の第４の実施形態であるWebコンテンツ閲覧情報表示装置の構成の一例を示す構成図である。
【図１９】ブックマーク画面の一例を示す説明図である。
【図２０】ブックマーク画面の一例を示す説明図である。
【図２１】本発明の第５の実施形態であるWebコンテンツ閲覧情報表示装置の構成の一例を示す構成図である。
【図２２】PC向けWebコンテンツの変換処理の一例を示す説明図である。
【図２３】PC向けWebコンテンツを変換処理したWebコンテンツの一例を示す説明図である。
【図２４】Webコンテンツ画像生成処理の一例を示す説明図である。
【図２５】閲覧履歴画面の一例を示す説明図である。
【図２６】ページブロック選択画面の一例を示す説明図である。
【図２７】本発明の第６の実施形態であるWebコンテンツ閲覧情報表示装置の構成の一例を示す構成図である。
【図２８】閲覧履歴画面の一例を示す説明図である。
【図２９】ページブロック選択画面の一例を示す説明図である。
【符号の説明】
【０１２５】
１  入力手段
２  出力手段
３  コンテンツ閲覧操作制御部
４  ネットワーク通信部
５  閲覧履歴画面生成部
６  閲覧動作取得部
７  コンテンツ画像生成部
８  閲覧履歴情報記憶部
９  ブックマーク画面生成部
１０  ブックマーク情報記憶部
１１  コンテンツ変換部
１２  ページブロック選択生成部
２０、２１、２２、２３、２４、２５  Webコンテンツ閲覧情報表示装置
３０  インターネット
５１  タイトル修正部
５２  閲覧経路選択生成部
６１  レイアウト解析部
７１  ブロック画像生成部
【図１】
0004697491.tif 000002
【図２】
0004697491.tif 000003
【図３】
0004697491.tif 000004
【図４】
0004697491.tif 000005
【図５】
0004697491.tif 000006
【図６】
0004697491.tif 000007
【図７】
0004697491.tif 000008
【図８】
0004697491.tif 000009
【図９】
0004697491.tif 000010
【図１０】
0004697491.tif 000011
【図１１】
0004697491.tif 000012
【図１２】
0004697491.tif 000013
【図１３】
0004697491.tif 000014
【図１４】
0004697491.tif 000015
【図１５】
0004697491.tif 000016
【図１６】
0004697491.tif 000017
【図１７】
0004697491.tif 000018
【図１８】
0004697491.tif 000019
【図１９】
0004697491.tif 000020
【図２０】
0004697491.tif 000021
【図２１】
0004697491.tif 000022
【図２２】
0004697491.tif 000023
【図２３】
0004697491.tif 000024
【図２４】
0004697491.tif 000025
【図２５】
0004697491.tif 000026
【図２６】
0004697491.tif 000027
【図２７】
0004697491.tif 000028
【図２８】
0004697491.tif 000029
【図２９】
0004697491.tif 000030